(57)【要約】【課題】  表示画面を分割する各分割画面の画質を高く維持できるようにすること。【解決手段】記憶部２１１にはレイアウト情報群２１１ａが保存され、ユーザは操作部２０１を操作して、そのなかから所望のレイアウト情報を選択する。接続方法決定部２１０は、そのレイアウト情報が示す領域（分割画面）毎に、その領域用の画像データの送信に必要と予想する通信速度を計算し、その計算結果を用いて、割り当てるべきＩＰアドレス及びポート番号を決定する。その決定結果は、主制御部２０３により、投影部２０８に表示させる。それにより、端末装置のユーザは、ＩＰアドレス及びポート番号により所望する領域を選択し、画像データを送信させる。この結果、端末装置から送信される画像データは、通信部２２０のうちの何れかによって受信される。【選択図】図３
2017224100.tif 000002
【特許請求の範囲】
【請求項１】
表示画面を複数の分割画面に分割し、該分割画面毎に異なる画像を表示可能な表示装置であって、
複数のネットワークと通信可能な複数の通信部と、
前記表示画面を複数の分割画面に分割するレイアウトを選択させる選択部と、
前記選択部により選択されたレイアウトに従って、該レイアウトで配置される分割画面毎に、該分割画面に表示させる画像データの受信に用いる通信部を前記複数の通信部のなかから割り当てる割当部と、
を備えることを特徴とする表示装置。
【請求項２】
前記割当部は、前記画像データの送信先とする、ポート番号を含むアドレスを前記分割画面毎に割り当て、
受信した前記画像データによる画像は、該画像データの送信先として指定されたアドレスを基に、対応する前記分割画面に配置する、ことを特徴とする請求項１記載の表示装置。
【請求項３】
前記割当部は、前記分割画面の属性から、該分割画面用の画像データの送受信に必要とする通信速度を計算し、該計算した通信速度、及び各通信部の通信速度を基に、前記通信部の割り当てを行う、ことを特徴とする請求項１または２記載の表示装置。
【請求項４】
前記属性は、前記分割画面の解像度、該分割画面に表示させる画像に想定する更新頻度、及び該分割画面に表示させる画像に想定する画質、のうちの少なくとも一つを含む、ことを特徴とする請求項３記載の表示装置。
【請求項５】
通信資源の割り当てに用いられる通信資源割当装置であって、
複数の分割画面が配置される表示画面のレイアウトに基づいて、該レイアウトで配置される分割画面毎に、該分割画面に表示させる画像データの送受信に必要とする通信速度を計算する計算部と、
前記通信資源として、ネットワークを複数、利用可能な場合に、前記計算部が計算した前記通信速度、及び各ネットワークの通信速度に基づいて、前記分割画面毎に、該分割画面の画像データの送受信に利用すべきネットワークを割り当てる割当部と、
を備えたことを特徴とする通信資源割当装置。
【請求項６】
通信資源の割り当てに用いられる通信資源割当装置として利用可能な情報処理装置に、
複数の分割画面が配置される表示画面のレイアウトに基づいて、該レイアウトで配置される分割画面毎に、該分割画面に表示させる画像データの送受信に必要とする通信速度を計算させ、
前記通信資源として、ネットワークを複数、利用可能な場合に、計算させた前記通信速度、及び各ネットワークの通信速度に基づいて、前記分割画面毎に、該分割画面の画像データの送受信に利用すべきネットワークを割り当てさせる、
ことを特徴とする通信資源割当方法。
【請求項７】
通信資源の割り当てに用いられる通信資源割当装置として利用可能な情報処理装置に、
複数の分割画面が配置される表示画面のレイアウトに基づいて、該レイアウトで配置される分割画面毎に、該分割画面に表示させる画像データの送受信に必要とする通信速度を計算させ、
前記通信資源として、ネットワークを複数、利用可能な場合に、計算させた前記通信速度、及び各ネットワークの通信速度に基づいて、前記分割画面毎に、該分割画面の画像データの送受信に利用すべきネットワークを割り当てさせる、
ことを特徴とするプログラム。
【発明の詳細な説明】
【技術分野】
【０００１】
本発明は、表示装置、通信資源割当装置、通信資源割当方法、及びプログラムに関する。
【背景技術】
【０００２】
表示装置のなかには、表示画面を複数の分割画面（サブ画面）に分割し、その分割画面毎に異なる画像を表示可能なものがある。そのような表示装置では、会議、或いは授業等の複数の資料が用いられる状況の場合、各資料を異なる分割画面上に表示させて、一度に複数の資料を比較させることができる。
【０００３】
現在、表示装置の多くは、ネットワークに対応している。表示画面を複数の分割画面に分割可能な表示装置のなかでネットワークに対応したものの一つは、複数台の端末装置から送信された画像データをそれぞれ異なる分割画面に表示可能になっている（例えば特許文献１参照）。
【発明の概要】
【発明が解決しようとする課題】
【０００４】
各端末装置から送信された画像データを異なる分割画面に表示可能な表示装置では、各端末装置を同じネットワークに接続させている。しかし、ネットワークには通信帯域（通信速度）が存在する。このことから、従来、ネットワークの通信帯域（通信速度）を考慮し、各端末装置から送信させる画像データのデータ量の制限が行われている（例えば特許文献１参照）。
【０００５】
表示する画像の画質は、データ量に依存する。そのため、ネットワークの通信帯域、端末装置の台数、及び各端末装置が送信する画像データのデータ量によって、１台以上の端末装置に著しく低い画質となるデータ量で画像データを送信させるという問題がある。
【０００６】
画像データの単位時間当たりに送受信するデータ量が十分でない場合、表示画像の更新は適切に行えなくなる。例えばその一部を少なくとも更新できない、ノイズが発生する、といった事象が出現する。そのような事象が発生した場合、画像を見る人は、その画像から必要な情報を得られなくなる。このようなことから、各分割画面の画質を維持することが重要と思われる。
【０００７】
本発明は、このような課題を解決するためになされたものであり、表示画面を分割する各分割画面の画質を高く維持できるようにすることを目的とする。
【課題を解決するための手段】
【０００８】
上記課題を解決するために、本発明の一態様は、表示画面を複数の分割画面に分割し、該分割画面毎に異なる画像を表示可能な表示装置であって、複数のネットワークと通信可能な複数の通信部と、前記表示画面を複数の分割画面に分割するレイアウトを選択させる選択部と、前記選択部により選択されたレイアウトに従って、該レイアウトで配置される分割画面毎に、該分割画面に表示させる画像データの受信に用いる通信部を前記複数の通信部のなかから割り当てる割当部と、を備えることを特徴とする。
【発明の効果】
【０００９】
本発明によれば、表示画面を分割する各分割画面の画質を高く維持することができる。
【図面の簡単な説明】
【００１０】
【図１】本実施形態による表示装置を用いて構築されたネットワークシステムの構成例を説明する図である。
【図２】本実施形態における画像データの送信方法、及び送信された画像データによる画像の表示位置を説明する図である。
【図３】本実施形態による表示装置、及び端末装置の機能構成例を説明する図である。
【図４】本実施形態による表示装置のハードウェア構成例を説明する図である。
【図５】レイアウト情報、及び割り当て情報の内容例を説明する図である。
【図６】各領域へのＩＰアドレスの割り当て方法例を説明する図である。
【図７】通信資源割当処理を示すフローチャートである。
【図８】表示画面のレイアウトの変更例を説明する図である。
【図９】表示画面のレイアウトの変更を可能にするレイアウト情報を説明する図である。
【発明を実施するための形態】
【００１１】
以下、図面を参照して、本発明の実施形態を詳細に説明する。図１は、本実施形態による表示装置を用いて構築されたネットワークシステムの構成例を説明する図である。
【００１２】
このネットワークシステムは、図１に示すように、ネットワーク群１に対し、表示装置２、及び複数の端末装置３（３Ａ〜３Ｄ）を接続させることで構築されている。この表示装置２が本実施形態による表示装置であり、本実施形態による通信資源割当装置は、この表示装置２に搭載されている。
【００１３】
この表示装置２は、プロジェクタであり、図１に示すように、スクリーン、或いは壁、等に投影させる表示画面４を複数の分割画面５に分割し、分割画面５毎に、異なる端末装置３から送信された画像データが表す画像を表示させることができる。図１中の分割画面５に表記の「端末３Ａの画面」は、端末装置３Ａから送信された画像データによる画面（画像）を意味している。同様に「端末３Ｂの画面」は、端末装置３Ｂから送信された画像データによって表示される画面（画像）を意味している。
【００１４】
図２は、本実施形態における画像データの送信方法、及び送信された画像データによる画像の表示位置を説明する図である。
【００１５】
表示装置２は、図２の左側に示すように、分割画面５が配置された表示画面４を初期画面として表示させる。この表示画面４上の各分割画面５は、各端末装置３から送信される画像データを表示させるためのものであり、各分割画面５には、その分割画面５に割り当てられたポート番号を含むＩＰ（Ｉｎｔｅｒｎｅｔ  Ｐｒｏｔｏｃｏｌ）アドレスが表示される。図２中、右上隅の分割画面５に表記の「１９２．１６８．２．２」はＩＰアドレスであり、それに「：」を挟んで続く「４０００３」はポート番号である。
【００１６】
各端末装置３のユーザは、任意の分割画面５を選択し、選択した分割画面５に表記のＩＰアドレス、ポート番号に画像データを送信させることができる。図２では、端末装置３Ｃのユーザは、その右上隅の分割画面５に表記のＩＰアドレス、及びポート番号に画像データを送信させている。そのため、その右上隅の分割画面５には、端末装置３Ｃから送信された画像データが表示される。
【００１７】
本実施形態では、図２に示すように、端末装置３は、有線ＬＡＮ（Ｌｏｃａｌ  Ａｒｅａ  Ｎｅｔｗｏｒｋ）、及び無線ＬＡＮのうちの一方を用いて画像データを送信することができる。上記「１９２．１６８．２．２」は、有線ＬＡＮ用のＩＰアドレスであり、無線ＬＡＮ用のＩＰアドレスは「１９２．１６８．３．３」である。それにより、図１に示すネットワーク群１は、有線ＬＡＮ、及び無線ＬＡＮを含むものとなっている。
【００１８】
本実施形態では、このようにして、１つの表示画面４上の各分割画面５に表示させる画像データの送受信用の通信資源として複数のネットワークを確保している。そのため、１つのネットワークのみを画像データの送信用とする場合と比較して、より大量の画像データの送信に対応することができる。それにより、各分割画面５に表示させる画像の画質はより確実に高く維持させることができる。
【００１９】
図２では、画像データの送信先として、ＩＰアドレス、及びポート番号を数値で表しているが、数値以外の方法で表しても良い。また、画像データの送受信に用いるネットワークは、ＬＡＮ以外のものであっても良い。
【００２０】
図３は、本実施形態による表示装置、及び端末装置の機能構成例を説明する図であり、図４は、その表示装置のハードウェア構成例を説明する図である。次に、図３、及び図４を参照して、表示装置２の機能構成例、及びそのハードウェア構成例、並びに端末装置３の機能構成例について具体的に説明する。
【００２１】
端末装置３は、図３に示すように、機能構成として、操作部３０１、通信制御部３０２、記憶部３０３、画像処理部３０４、及び通信部群３０５を備える。
【００２２】
操作部３０１は、端末装置３のユーザが送信させるべき画像データ（ファイル）の選択、送信先の選択、等に用いられるものである。通信制御部３０２は、操作部３０１へのユーザの操作を解析して、そのユーザの指示を解釈し、その解釈結果に応じて、画像データの選択、或いは送信先の設定、等を行う。
【００２３】
記憶部３０３は、各種データの保存に用いられる記憶装置である。例えばハードディスク装置である。送信対象となる画像データ（ファイル）は、この記憶部３０３に保存することができる。
【００２４】
端末装置３から単位時間当たりに送信すべき画像データのデータ量は、分割画面５の大きさに依存する。言い換えれば、解像度は、分割画面５が小さくなるほど、低くさせることができる。画像処理部３０４は、通信制御部３０２の指示に従って、送信対象として選択された画像データの解像度を変更することを含む各種画像処理を行う。そのために、ユーザは、操作部３０１を操作して、解像度等を指定できるようになっている。
【００２５】
通信部群３０５は、少なくとも２つの通信部３１０を含む。１つの通信部３１０は、有線ＬＡＮを介した通信が可能であり、他の１つの通信部３１０は、無線ＬＡＮを介して通信が可能である。通信に用いられる通信部３１０は、ユーザの操作部３０１への操作に応じて、通信制御部３０２が選択する。
【００２６】
このようにして、各端末装置３は、ユーザが選択した画像データを、そのユーザの指定に応じて、或いは自動的に、そのユーザが選択した分割画面５の大きさに応じた解像度で送信させる。そのように画像データを送信させる場合、有線ＬＡＮ、或いは無線ＬＡＮの通信帯域の浪費を最小限に抑えることができる。
【００２７】
一方、表示装置２は、図３に示すように、操作部２０１、通信部群２０２、主制御部２０３、投影制御部２０４、配置設定部２０５、投影画像生成部２０６、画像合成部２０７、投影部２０８、レイアウト生成部２０９、接続方法決定部２１０、及び記憶部２１１を備えている。
【００２８】
操作部２０１は、ユーザが各種データ入力を行うためのものである。ユーザは、操作部２０１への操作を介して、表示画面４のレイアウトの選択、或いは新しいレイアウトの生成を行うことができる。
【００２９】
通信部群２０２は、ネットワーク群１、つまり有線ＬＡＮ、或いは無線ＬＡＮを介した通信を可能にする通信部２２０を複数、含む。それにより、端末装置３が有線ＬＡＮ、及び無線ＬＡＮの何れを介した画像データの送信を行っても、表示装置２はその画像データを受信することができる。
【００３０】
主制御部２０３は、表示装置２全体を制御する。操作部２０１への操作は、主制御部２０３によって解析され、その解析結果に応じて、主制御部２０３は制御を行う。それにより、ユーザは、操作部２０１への操作を介して、表示装置２に所望の動作を行わせることができる。
【００３１】
投影部２０８は、表示画面４を表示させることを可能にする。主制御部２０３は、操作部２０１への操作に応じて、投影部２０８による表示内容を更新させる。それにより、主制御部２０３は、ユーザに対して必要な情報を提供し、ユーザのデータ入力を支援する。
【００３２】
表示画面４のレイアウトは、新たに生成することができる。レイアウト生成部２０９は、新たに生成されたレイアウトを表す情報（以降「レイアウト情報」と表記）を生成する機能である。接続方法決定部２１０は、新たに生成されたレイアウト情報が示す分割画面５毎に、ＩＰアドレス、及びポート番号を割り当てることができる。その割り当て結果は以降「割り当て情報」と表記する。
【００３３】
図５は、レイアウト情報、及び割り当て情報の内容例を説明する図である。図５において、５０１は、ユーザが新たに生成したレイアウト画面、５０２は、そのレイアウト画面５０１から生成されるレイアウト情報、５０３は、そのレイアウト情報５０２から生成される割り当て情報、である
【００３４】
図５に示すようなレイアウト画面５０１は、操作部２０１への操作により、主制御部２０３が生成し、投影部２０８に表示させる。それにより、ユーザは、自身が行った操作部２０１への操作により変化するレイアウト画面５０１を確認しながら、所望のレイアウト画面５０１を作成することができる。
【００３５】
図５では、分割画面５に相当する部分は「領域」と表記している。その領域を区別するために、「１」〜「１０」の数値を後に付加している。この「領域」は、特に断らない限り、「分割画面」と同じ意味で用いる。
【００３６】
レイアウト画面５０１では、各領域に２つの括弧書きを表記している。一方の括弧書きは、その領域の基準点を表し、他の括弧書きは、その領域の大きさを表している。基準点は、ＸＹ座標で表す左上隅の点としている。それにより、「領域１」で表記の「（０，０）」は、ＸＹ軸上、共に０の位置が基準点であることを表している。「（６４０，４８０）」は、Ｘ軸上は６４０ドット（画素）、Ｙ軸上は４８０ドット（画素）の幅であることを表している。
【００３７】
レイアウト情報５０２では、図５に示すように、その基準値、及びＸＹ座標上の幅を表す情報（以降「ＸＹスケール情報」と表記。ＸＹ座標上の幅は「ＸＹスケール」と表記する）が領域毎に領域情報として格納される。「ｘ１」〜「ｘ１０」、及び「ｙ１」〜「ｙ１０」は、それぞれ基準値のＸ座標値、及びＹ座標値を表している。同様に「ｗｉｄｔｈ１」〜「ｗｉｄｔｈ１０」及び「ｈｅｉｇｈｔ１」〜「ｈｅｉｇｈｔ１０」は、それぞれ領域のＸ座標上の幅（画素数）、及びＹ座標上の高さ（画素数）、を表している。
【００３８】
このＸＹスケールは、ＸＹ座標上でそれぞれ必要な画素数を表している。このことから、ＸＹスケールは「解像度」とも表記する。その解像度を表す情報は、以降「解像度情報」とも表記する。
【００３９】
レイアウト生成部２０９は、主制御部２０３からレイアウト画面５０１を受け取り、そのレイアウト画面５０１に配置された領域（分割画面５）毎に、その基準点、及びＸＹスケールを特定し、レイアウト情報５０２を生成する。生成したレイアウト情報５０２は、接続方法決定部２１０に出力される。
【００４０】
接続方法決定部２１０は、レイアウト情報５０２を参照して、領域毎に、ポート番号を含むＩＰアドレスを割り当てる。それにより、図５に示すような割り当て情報５０３を生成する。生成された割り当て情報５０３は、レイアウト情報５０２と共に記憶部２１１に格納される。それにより、記憶部２１１には、１つ以上のレイアウト情報５０２であるレイアウト情報群２１１ａが保存される。
【００４１】
割り当て情報５０３は、必要に応じて生成され、記憶部２１１に格納される。しかし、記憶部２１１への格納は一時的である。これは、表示装置２は移動可能であり、表示装置２の通信環境が常に同じであるとは限らないからである。
【００４２】
図６は、各領域へのＩＰアドレスの割り当て方法例を説明する図である。ここで、その割り当て方法について、図６を参照して具体的に説明する。ここでは、１９２０×１０８０画素のＦＨＤ（Ｆｕｌｌ  Ｈｉｇｈ  Ｄｅｆｉｎｉｔｉｏｎ）で表示画面４を表示させる場合を想定している。
【００４３】
接続方法決定部２１０は、割り当て情報５０３を生成する場合、通信部２２０毎に、その通信速度を投影制御部２０４から確認する。各通信部２２０は、対象となるＬＡＮとの接続時、そのＬＡＮのネットワーク機器（ルーター、或いはアクセスポイント、等）とのネゴシエーションにより、通信速度を確認する。その確認結果が、投影制御部２０４を介して接続方法決定部２１０に渡される。ここでは、便宜的に、有線ＬＡＮの通信速度は１０００Ｍｂｐｓ、無線ＬＡＮの通信速度は６００Ｍｂｐｓと想定する。
【００４４】
図６に示すように、レイアウト画面５０１が計６つの領域（分割画面５）に分割された場合、「領域１」では、画像を適切に表示するには６３３（＝１２８０（Ｘ座標上の幅）×７２０（Ｙ座標上の高さ）×３０×３）Ｍｂｐｓで画像データを送受信する必要がある。他の５つの同じ大きさの領域では、１５８（＝６４０×３６０×３０×３）Ｍｂｐｓで画像データを送受信する必要がある。
【００４５】
ＸＹスケール（解像度）の大きい領域ほど、目立ちやすい。また、重要な画像ほど、より大きい領域に表示させる傾向がある。このようなことから、本実施形態では、必要とする通信速度が大きい領域順に、ＩＰアドレス、つまり画像データの送信に用いるＬＡＮの割り当てを順次、行うようにしている。
【００４６】
「領域１」に必要な通信速度は６３３Ｍｂｐｓである。そのため、無線ＬＡＮを介した画像データの送信は望ましくない。このことから、「領域１」には有線ＬＡＮのＩＰアドレス（とポート番号）が割り当てられる。
【００４７】
「領域１」に有線ＬＡＮを割り当てた場合、有線ＬＡＮで得られると予想される通信速度の余裕分は３６７（＝１０００−６３３）Ｍｂｐｓである。このことから、有線ＬＡＮには、例えば「領域２」及び「領域３」が更に割り当てられる。
【００４８】
この３つの領域を有線ＬＡＮに割り当てた場合、有線ＬＡＮで得られると予想される通信速度の余裕分は５１（＝１０００−１５８−１５０）Ｍｂｐｓとなる。このことから、残り３つの領域には、全て無線ＬＡＮが割り当てられる。そのような割り当てを行った場合、無線ＬＡＮで得られると予想される通信速度の余裕分は１２６（＝６００―１５８×３）となる。図６の右側のレイアウト画面５０１は、そのようにして各領域に有線ＬＡＮ、或いは無線ＬＡＮを割り当てた状態を表している。
【００４９】
このようにして、接続方法決定部２１０は、通信に利用可能な通信部２２０の通信速度を超えないようにしつつ、通信に利用可能な通信部２２０を一つ以上、利用して、各領域の画像データを適切に受信できるように、各領域にＩＰアドレスを割り当てる。それにより、各領域に表示される画像の画質の劣化等は回避させることができ、常に高画質で画像を表示させることができるようになる。
【００５０】
生成された割り当て情報５０３は、投影制御部２０４を介して主制御部２０３に渡される。主制御部２０３は、渡された割り当て情報５０３が示すＩＰアドレス、及びポート番号を、対応する領域内に配置したレイアウト画面５０１を投影部２０８に表示させる。そのようにしてＩＰアドレス、及びポート番号が表示されたレイアウト画面５０１が表示画面４である。
【００５１】
上記のように、記憶部２１１には、レイアウト情報群２１１ａが保存される。ユーザは、既存のレイアウト画面５０１（表示画面４）のなかから所望のものを選択することができる。ユーザが既存のレイアウト画面５０１、つまりレイアウト情報５０２を選択した場合、その選択結果は投影制御部２０４に通知される。
【００５２】
投影制御部２０４は、レイアウト画面５０１の生成時と同様に、各通信部２２０の通信速度を接続方法決定部２１０に渡し、選択されたレイアウト画面５０１（レイアウト情報５０２）用の割り当て情報５０３を生成させる。その生成結果が投影制御部２０４を介して主制御部２０３に渡されることにより、主制御部２０３は表示画面４を投影部２０８に表示させる。
【００５３】
表示画面４の表示により、端末装置３のユーザは、所望の分割画面５を選択して、画像データの送信を開始する。その送信を開始する前に、通信を確立させる必要がある。投影制御部２０４は、例えば通信が確立された後、その通信が確立した端末装置３に対し、送信すべき画像データの属性を通知する。その属性には、上記解像度が少なくとも含まれる。それにより、端末装置３の通信制御部３０２は、通知された属性を満たす画像処理を画像処理部３０４に行わせる。この結果、各端末装置３は、適切なデータ量の画像データを送信することができる。
【００５４】
端末装置３に通知する属性は、解像度の他に、或いは代えて、更新頻度、及び画質のうちの少なくとも一方であっても良い。これは、更新頻度、及び画質の何れも、端末装置３から送信される画像データの単位時間当たりのデータ量を制御することができるからである。画質は、それを直接的に示す情報の他に、圧縮率、或いはその圧縮率の計算に用いる別の情報、等により通知しても良い。
【００５５】
通信の確立により、その通信を確立させた端末装置３（のＩＰアドレス）と分割画面５の対応関係が特定される。投影制御部２０４は、その対応関係を特定する度に、その特定結果を配置設定部２０５に通知する。
【００５６】
配置設定部２０５は、投影制御部２０４からの通知により、画像合成部２０７に対し、分割画面５用の画像データの送信元となる端末装置３のＩＰアドレスを設定する。その設定により、画像合成部２０７は、端末装置３から受信した画像データにより表示させる画像を、その画像データの送信先として指定されたＩＰアドレス、及びポート番号が割り当てられている分割画面５上に配置する。
【００５７】
通信部２２０が受信した画像データは、投影画像生成部２０６に出力される。端末装置３は、画像データを圧縮して送信する。このことから、投影画像生成部２０６は、受信した画像データを解凍し、圧縮前の画像データを復元する。画像合成部２０７には、復元された画像データが出力される。
【００５８】
それにより、画像合成部２０７は、分割画面５毎に、復元された画像データを用いて配置すべき画像を配置して、表示画面４を生成（合成）する。そのようにして生成された表示画面４が投影部２０８によって表示される。
【００５９】
属性として通知する画質は、直接的には画像データの圧縮率に反映される。そのため、画質により、画像データのデータ量を制御することができる。
【００６０】
上記のような機能構成を備えた表示装置２は、図４に示すように、例えばＣＰＵ（Ｃｅｎｔｒａｌ  Ｐｒｏｃｅｓｓｉｎｇ  Ｕｎｉｔ）４０１、フラッシュメモリ４０２、ＲＡＭ（Ｒａｎｄｏｍ  Ａｃｃｅｓｓ  Ｍｅｍｏｒｙ）４０３、少なくとも２つのＮＩＣ（Ｎｅｔｗｏｒｋ  Ｉｎｔｅｒｆａｃｅ  Ｃｏｎｔｒｏｌｌｅｒ）４０４、及び４０５、キー群４０６、入力コントローラ４０７、投影装置４０８、及びバス４０９を備えた情報処理装置（コンピュータ）である。
【００６１】
少なくとも２つのＮＩＣ４０４、及び４０５のうちの一方は、有線ＬＡＮを介した通信が可能なものであり、他方は、無線ＬＡＮを介した通信が可能なものである。各ＮＩＣ４０４、及び４０５は、図３に示す通信部２２０に相当する。
【００６２】
キー群４０６は、ユーザが操作対象とする操作子として複数のキーを少なくとも含む。入力コントローラ４０７は、各キーへの操作を認識して、その認識結果をＣＰＵ４０１に通知する。それにより、キー群４０６、及び入力コントローラ４０７は、図３に示す操作部２０１に相当する。
【００６３】
投影装置４０８は、表示画面４を含む各種画面を表示させる装置である。この投影装置４０８は、図３の投影部２０８に相当する。
【００６４】
フラッシュメモリ４０２は、各種データ、及び各種プログラムの保存に用いられる。図３の記憶部２１１は、狭義にはフラッシュメモリ４０２が相当する。広義には、更にＲＡＭ４０３が相当する。
【００６５】
ＣＰＵ４０１は、フラッシュメモリ４０２に格納されたプログラムをＲＡＭ４０３に読み出して実行することにより、表示装置２全体を制御する。このことから、ＣＰＵ４０１、フラッシュメモリ４０２、ＲＡＭ４０３、及びバス４０９は、図３の主制御部２０３、投影制御部２０４、配置設定部２０５、投影画像生成部２０６、画像合成部２０７、レイアウト生成部２０９、及び接続方法決定部２１０を実現させる。
【００６６】
レイアウト情報５０２のユーザによる選択には、主制御部２０３、レイアウト生成部２０９、接続方法決定部２１０、記憶部２１１、及び投影部２０８が関係する。このことから、これらは本実施形態における選択部に相当する。
【００６７】
各領域で必要とする通信速度の計算は、接続方法決定部２１０が行う。このことから、狭義には、接続方法決定部２１０は、本実施形態における計算部に相当する。その通信速度を計算するためには、接続方法決定部２１０の他に、通信部群２０２、及び投影制御部２０４が機能する。このことから、広義には、接続方法決定部２１０の他に、通信部群２０２、及び投影制御部２０４が相当する。
【００６８】
本実施形態による通信資源割当装置の構成要素としての割当部は、接続方法決定部２１０が相当する。本実施形態による表示装置（表示装置２）の構成要素としての割当部は、接続方法決定部２１０、通信部群２０２、及び投影制御部２０４が相当する。
【００６９】
本実施形態による通信資源割当装置は、ＣＰＵ４０１が、フラッシュメモリ４０２に格納されているプログラム（以降「通信資源割当プログラム」と表記）４０２ａを実行することで実現される。次に、この通信資源割当プログラム４０２ａをＣＰＵ４０１が実行することで実現される通信資源割当処理について、図７に示すそのフローチャートを参照して詳細に説明する。この通信資源割当プログラム４０２ａは、レイアウト情報５０２、つまり表示画面４を確定させた場合に実行される。
【００７０】
通信資源割当プログラム４０２ａに制御が渡った場合、ＣＰＵ４０１は、先ず、ユーザがキー群４０６を操作して選択したレイアウト画面５０１のレイアウト情報５０２を取得する（Ｓ７０１）。次にＣＰＵ４０１は、取得したレイアウト情報５０２に格納されている領域情報を用いて、各領域情報が表す領域（分割画面５）で画像データの送受信に必要な通信速度、つまり画像データの単位時間当たりに送受信すべきデータ量を計算する（Ｓ７０２。図６）。
【００７１】
次に、ＣＰＵ４０１は、各ＮＩＣ４０４、及び４０５から、対応するＬＡＮでの通信速度（通信帯域）を取得する（Ｓ７０３）。その後はＳ７０４に移行して、ＣＰＵ４０１は、領域情報が示す領域のなかで最大の解像度となっている領域にＩＰアドレス（とポート番号）を割り当てる（図６）。
【００７２】
次に、ＣＰＵ４０１は、全ての領域へのＩＰアドレスの割り当てが完了したか否か判断する（Ｓ７０５）。その割り当てが完了した場合、Ｓ７０５の判断はＹＥＳとなり、ここで通信資源割当処理が終了する。一方、その割り当てが完了していない場合、つまりＩＰアドレスを割り当てるべき領域（分割画面５）が存在する場合、Ｓ７０５の判断はＮＯとなってＳ７０６に移行する。
【００７３】
Ｓ７０６では、ＣＰＵ４０１は、ＩＰアドレスを割り当てていない領域のなかで解像度が最大の領域へのＩＰアドレスの割り当てが可能か否か判断する。２種類のＬＡＮのうちの何れかに、その最大の領域にＩＰアドレスを割り当てる余裕がある場合、Ｓ７０６の判断はＹＥＳとなって上記Ｓ７０４に戻る。それにより、ＣＰＵ４０１は、その最大の領域にＩＰアドレスを割り当てる。一方、その最大の領域にＩＰアドレスを割り当てる余裕がない場合、Ｓ７０６の判断はＮＯとなってＳ７０７に移行する。
【００７４】
Ｓ７０７では、ＣＰＵ４０１は、ＩＰアドレスを割り当てていない残り全ての領域（分割画面５）へのＩＰアドレスの割り当ては行うべきではないとして、その残り全ての領域をＩＰアドレスの割り当て対象から除外する。その後、この通信資源割当処理が終了する。
【００７５】
なお、本実施形態では、領域（分割画面５）の解像度が大きいほうからＩＰアドレス（ＬＡＮ）を割り当てているが、その順序でＩＰアドレスを割り当てなくとも良い。例えばＩＰアドレスを割り当てられる領域数が最大となるように、各領域へのＩＰアドレスの割り当てを行うようにしても良い。
【００７６】
また、本実施形態では、予め表示装置２側で各領域の画像データの送受信に必要と想定する通信速度を計算し、その計算結果を用いて各領域にＩＰアドレスを固定的に割り当てているが、その割り当ては動的に変更するようにしても良い。
【００７７】
各端末装置３のユーザが画像データの送信を開始させるタイミングには或る程度の時間差が存在するのが普通である。表示装置２側では、通信の確立時、等に、端末装置３からの送信が開始される画像データのデータ量を確認することが可能である。このことから、その確認結果に応じて、通信が確立していない領域でのＩＰアドレスの割り当ての変更、或いはＩＰアドレスを割り当てていない領域へのＩＰアドレスの割り当て、等を行うようにしても良い。
【００７８】
本実施形態では、表示装置２が接続されるネットワークが常に同じではないことを想定しているが、表示装置２は、常に同じネットワーク、或いは同じと見なすことが可能なネットワークと接続されることも考えられる。そのような場合、表示装置２とは別の情報処理装置を通信資源割当装置として用い、レイアウト情報５０２毎に、割り当て情報５０３を生成させ、少なくとも割り当て情報５０３を表示装置２にロードさせても良い。このようなことから、通信資源割当装置は、表示装置２に搭載させなくとも良い。
【００７９】
領域毎の必要とする通信速度の計算では、例えば表示画面４自体の解像度と各領域（分割画面５）の解像度の比率を計算し、計算した比率に応じて、各領域に各通信部２２０の通信速度を分配するような形で各領域の必要とする通信速度を算出するようにしても良い。
【００８０】
そのように各領域の必要とする通信速度を計算した場合、表示画面４全体で送受信する画像データの単位時間当たりのデータ量は一定か、略一定になると期待できる。このことから、図８に示すように、表示画面４のレイアウトを途中で変更させても、各領域での画像表示を継続して適切に行えると期待できる。それにより、画質の低下が確認できる領域が発生したとしても、表示画面４全体では画質の低下の程度は抑えることができる。表示画面４のレイアウトの変更により、状況に応じて特に注目すべき領域の画像をより強調することもできることから、ユーザにとっての利便性を向上させることができる。
【００８１】
このような表示画面４のレイアウトの変更は、図９に示すように、領域数が同じであり、且つ領域情報の配置が同じレイアウト情報５０２を２つ以上、用意することで実現させることができる。レイアウト情報５０２間での領域情報の対応関係を示す情報を別に用意することでも実現させることができる。
【符号の説明】
【００８２】
１    ネットワーク群
２    表示装置
３、３Ａ〜３Ｄ    端末装置
４    表示画面
５    分割画面
２０１、３０１    操作部
２０２、３０５    通信部群
２０３    主制御部
２０４    投影制御部
２０５    配置設定部
２０６    投影画像生成部
２０７    画像合成部
２０８    投影部
２０９    レイアウト生成部
２１０    接続方法決定部
２１１、３０３    記憶部
２１１ａ    レイアウト情報群
２２０、３１０    通信部
３０２    通信制御部
３０４    画像処理部
４０１    ＣＰＵ
４０２    フラッシュメモリ
４０２ａ    通信資源割当プログラム
４０３    ＲＡＭ
４０４、４０５    ＮＩＣ
４０６    キー群
４０７    入力コントローラ
４０８    投影装置
４０９    バス
５０１    レイアウト画面
５０２    レイアウト情報
５０３    割り当て情報
【先行技術文献】
【特許文献】
【００８３】
【特許文献１】特開２００８−７７３８０号公報
【図１】
2017224100.tif 000003
【図２】
2017224100.tif 000004
【図３】
2017224100.tif 000005
【図４】
2017224100.tif 000006
【図５】
2017224100.tif 000007
【図６】
2017224100.tif 000008
【図７】
2017224100.tif 000009
【図８】
2017224100.tif 000010
【図９】
2017224100.tif 000011